(57)【要約】【課題】簡易な構成により、ホースのばらけ現象やホースの折れ現象を防止することができ、またホースの収納作業を容易に行うことができる、内巻き式消火栓装置を得る。【解決手段】保形ホース４を内巻きで収納し保形ホース４が繰り出されるホース開口部２ｃを有するホース収納部２を備えた内巻き式消火栓装置１において、前記消火栓装置１に固定された固定端６ｂと、前記ホース開口部２ｃに横方向に臨む開放端６ａとを有する掛り部材６を設ける。【選択図】  図１
2004229700.tif 000002
【特許請求の範囲】
【請求項１】
保形ホースを内巻きで収納し前記保形ホースが繰り出されるホース開口部を有するホース収納部を備えた内巻き式消火栓装置において、
前記消火栓装置に固定された固定端と、前記ホース開口部に横方向に臨む開放端とを有する掛り部材を設けたをことを特徴とする内巻き式消火栓装置。
【請求項２】
前記掛り部材の開放端を、前記保形ホースのホース収納部への巻回方向の２次側より前記ホース開口部に横方向に臨むものとしたことを特徴とする請求項１記載の内巻き式消火栓装置。
【請求項３】
前記掛り部材は、前記開放端側を下段とし、前記固定端側を上段とする段差付掛り部材であることを特徴とする請求項１又は２記載の内巻き式消火栓装置。
【請求項４】
前記掛り部材の下方に掛り補助部材を設けたことを特徴とする請求項１、２又は３記載の内巻き式消火栓装置。
【請求項５】
前記掛り部材の固定端をヒンジ構成し、前記掛り部材の開放端が前記ホース開口部に臨む位置と臨まない位置とに変位可能になる如く、前記掛り部材を傾倒可能としたことを特徴とする請求項１、２、３又は４記載の内巻き式消火栓装置。
【発明の詳細な説明】
【０００１】
【発明が属する技術分野】
この発明は、保形ホースを良好に繰り出すことができる内巻き式消火栓装置に関するものであり、さらに述べれば、保形ホースの繰り出し時におけるホースのばらけ現象を防止することができる内巻き式消火栓装置に関するものであり、また保形ホースの繰り出し時におけるホースの折れ現象を防止することができる内巻き式消火栓装置に関する。
【０００２】
【従来の技術】
ホースのばらけ現象とは、一般に、ノズル（ホース）取扱い者がホースを引き出した時などに、引出し操作を止めてもホースがホース収納部から独りでに（或いは連鎖的に）繰り出されてしまう現象のことを言う。ホースの引き出し操作をする際に、何らかの理由でホースの引き出し操作を一時的に中断した時に、このばらけ現象が発生すると、先に引き出したホースの上に次々と充水したホースが重積して、その後のホースの引き出し操作が困難なものとなり、消火活動の妨げとなる。
【０００３】
また、ホースの折れ現象とは、一般に、例えばホース繰り出し時にホースボックス（ホース収納部）枠の縁又は角部にホースが掛かった所を鋭角的にホースが引かれる場合などに起きる現象で、ホースの最小曲げ半径よりも小さな丸みで曲げられることによりホースが折れてしまう現象のことを言う。このホースの折れ現象が生じると、それ以上ホースを引いてもホースは枠などに引っ掛かってその繰り出しができず、取扱者は一旦ホースの折れ部の所まで戻って折れを直す必要があり、消火活動の妨げとなる。
【０００４】
前記の如きホースのばらけ現象や折れ現象の防止手段を備えたものとして、消火栓箱の開口部に横方向に架け渡してコイルスプリングを張設し、ホースをコイルスプリングに接触させて繰り出すことで、ホースに制動を効かせ、ホースのばらけ現象や折れ現象を防止しようとするものが開示されている（特許文献１参照）。
【０００５】
【特許文献１】
特開平１０−３１４３３０号公報
【０００６】
【発明が解決しようとする課題】
しかしながら、前記特許文献１に記載のものは、構成が複雑であり、又、コイルスプリングが縦、横又は斜めに開口部に架け渡されて設けられているためにホースを収納する際にそのコイルスプリングが障害となりホースの収納作業が面倒となる、という問題点が存する。
【０００７】
この発明は、上記事情に鑑み、簡易な構成により、ホースのばらけ現象を防止することができ、又ホースの収納作業を容易に行うことができる、内巻き式消火栓装置を提供することを目的とする。
【０００８】
又、この発明は、上記事情に鑑み、簡易な構成により、ホースのばらけ現象及び折れ現象を防止することができ、又ホースの収納作業を容易に行うことができる、内巻き式消火栓装置を提供することを目的とする。
【０００９】
前記目的を達成するこの出願の第１の発明について述べれば、それは、保形ホースを内巻きで収納し前記保形ホースが繰り出されるホース開口部を有するホース収納部を備えた内巻き式消火栓装置において、前記消火栓装置に固定された固定端と、前記ホース開口部に横方向に臨む開放端とを有する掛り部材を設けたをことを特徴とする内巻き式消火栓装置、である。
【００１０】
前記第１の発明によれば、保形ホースの繰り出しの際、保形ホースは左右に振れながら下方に脱落していくが、掛り部材の上方より繰り出されるホースは、掛り部材の上面に乗り掛り、その状態で横方向に移動して掛り部材の開放端より下方に脱落してから、即ち掛り部材の上面への掛り状態を経てその状態が解除されてからホース収納部より外部に繰り出され、掛り部材の下方より繰り出されるホースは、掛り部材の開口部に臨む側が開放端となっているので、掛り部材には掛らずにホース収納部より外部に繰り出されることなる。ばらけ現象の防止機能について述べれば、ホース収納部の上方に位置して収納されている保形ホースがその自重によりばらけて繰り出されたとしても、降りてきた保形ホースが掛り部材に当たることによって、保形ホースが一旦止まりばらけが防止される。また、掛り部材の上面への掛り状態にある時は掛り部材の高さによりそれ以上の繰り出しを抑制している。一方ホース収納部の下方に位置して収納されている保形ホースは一巻き分繰り出ると上方から降りてくるホースが掛り部材の上面への掛り状態になり、それ以上ばらけて繰り出されることはない。又、前記掛り部材の開口部に臨む側の端部を開放端としたことで、保形ホースを開口部よりホース収納部に収納する際に、開放端側の開口部分から収納することが可能であり、そのようにすれば、掛り部材が障害となることがはない。
【００１１】
したがって、前記第１の発明によれば、簡易な構成により、ホースのばらけ現象を防止することができ、またホースの収納作業を容易に行うことができる、内巻き式消火栓装置を得ることができる。
【００１２】
更に、前記目的を達成するこの出願の第２の発明について述べれば、それは、前記第１の発明における掛り部材の開放端を、保形ホースのホース収納部への巻回方向の２次側より前記ホース開口部に横方向に臨むものとしたことを特徴とする内巻き式消火栓装置、である。尚、ここで、保形ホースのホース収納部への巻回方向の２次側とは、例えば、ホースの巻回が、向かって左巻き（反時計回り）に巻かれている場合には向かって右側を言い、逆に向かって右巻きに巻かれている場合には左側を言うものとする。
【００１３】
前記第２発明によれば、前記第１発明と同様の内巻き式消火栓装置を得つつ、ホースの折れ現象も防止することができる内巻き式消火栓装置を得ることができる。
【００１４】
即ち、前記第２の発明によれば、ホースが掛り部材の上面に掛っている状態にあるときは、繰り出されるホースはその自重により収納状態から掛り部材に向けて繰り出されることとなり、掛り部材の固定端側に向けてホースが鋭角的に引かれる場合でも、ホースは巻回方向との関係でホースの曲がりを緩やかにする方向に繰り出されることとなるので、ホースの折れ現象は生じ難い。即ち、ホースが掛り部材の上面に掛っている状態で掛り部材の固定端側に向けてホースが鋭角的に引かれる場合でも、ホースの折れ現象は生じ難い。
【００１５】
したがって、前記第２発明によれば、簡易な構成により、ホースのばらけ現象及び折れ現象を防止することができ、又ホースの収納作業を容易に行うことができる、内巻き式消火栓装置を得ることができる。
【００１６】
更に、前記第１発明及び第２発明において、前記掛り部材は、開放端側を下段とし、固定端側を上段とする段差付掛り部材としてもよい。段差付掛り部材は、ホースの巻き数が多い場合、ホース収納部が大きい場合、或いはホース開口部が広い場合等に好適であり、段差付掛り部材とすることで、ホース繰り出し初期においては掛り部材の上段を対応させ、ホース繰り出し後期においては掛り部材の下段を対応させることができ、ホース繰り出し初期において掛り部材が低すぎるためにホースがそれを乗り越えてばらけ始めるということがなく、又ホース繰り出し後期において掛り部材が高過ぎてホースがその下をくぐってばらけ始めるということもない。
【００１７】
更に、前記第１発明及び第２発明において、前記掛り部材の下方に掛り補助部材を設けてもよい。掛り補助部材は、ホースの巻き数が多い場合、ホース収納部が大きい場合、或いはホース開口部が広い場合等に好適であり、掛り補助部材を設けることで、掛り部材と掛り補助部材により抑止を効かせることができるので、より確実にホースのばらけ現象を防止することができ、又掛り補助部材にホースが掛かることで外に繰り出されたホースの重さにより掛り補助部材に掛かっている部分を支点としてホース収納部側に位置しているホースが持ち上がるので、特にホースが固定端側の斜め下方に引かれる場合などで、ホースが掛り部材の下にくぐってしまうことなく、ホースを掛り部材に掛かり易くすることもできる。また、ホースが掛り部材から脱落しているときは、ホースは低い位置から繰り出されることとなり、ホース開口部の角部に向けてホースが鋭角的に引かれる場合でも、ホースがホース開口部を出るまでは、ホースは巻回方向との関係でホースの曲がりを緩やかにする方向に繰り出されることとなるのでホースの折れ現象は生じ難い。また、ホース開口部と掛り補助部材には前後方向に距離を有するので、ホースはホース開口部と掛り補助部材とで二回曲げられ所定の曲げ半径を得られるので、ホースの折れ現象は更に生じ難い。
【００１８】
更に、前記第１発明及び第２発明において、前記掛り部材の固定端をヒンジ構成し、前記掛り部材の開放端が前記ホース開口部に臨む位置と臨まない位置とに変位可能になる如く、前記掛り部材を水平方向又は垂直方向などに傾倒可能としてもよい。このようにすることで、警戒時には掛り部材の開放体をホース開口部に臨む位置にして、ホースの制動機能が得られる状態にしておき、ホースの収納作業時や装置の保守点検時には掛り部材を傾倒させてその開放端がホース開口部に臨まない位置に変位させておけば、掛り部材が作業の障害とならないようにすることができる。
【００１９】
【発明の実施の形態】
この発明の実施の形態を添付図１乃至図７に基づき説明する。尚、図１はこの発明の実施の形態に係る内巻き式消火栓装置の正面図であり、図２は、ホースの繰り出しの様子を示す概略図であり、（ａ）、（ｂ）共に、ホース収納部上方よりホースが繰り出されるときの様子を示しており、図３は、ホース繰り出しの様子を示す概略図であり、（ａ）、（ｂ）共に、ホース収納部下方よりホースが繰り出されるときの様子を示しており、図４は、ホースの繰り出しの様子を示す概略図であり、（ａ）、（ｂ）共に、ホース開口部角部に向けて鋭角的にホースを引き出すときの様子を示しており、図５は、ホースの繰り出しの様子を示す概略図であり、（ａ）、（ｂ）共に、掛り部材の固定端に向けて鋭角的にホースを引き出すときの様子を示しており、図６はこの発明の他の実施の形態に係る内巻き式消火栓装置を示す概略図であり、図７はこの発明の更に他の実施の形態に係る内巻き式消火栓装置を示す概略図である。なお、図２乃至７において、ホース収納部を分かり易く外観円形とした概略図で示しているが、図１と同様な形状でもよい。
【００２０】
図１において、内巻き式消火栓装置１は、その筐体３内に、先端にノズル５を有する保形ホースである消火用ホース４を内巻きに収納するホース収納部２を備えている。ホース収納部２はその前面中央部にホース開口部２ｃを有しており、又筐体３はその前面に筐体開口部３ｃを有しており、ホース４はホース開口部２ｃ及び筐体開口部３ｃより外部に引き出し可能なっている。尚、筐体開口部３ｃは常時においては図示しない前面扉により閉じられている。
【００２１】
更に、図１において、４ａはホース基端、４ｃはホース巻回形成穴、４ｂは穴４ｃの内径底部、５は消火用ホース４の先端に設けられたノズル、９は消火器収納部、１０は給水管、１１は給水弁、１２は消火栓弁、１３は二次側を所定圧にする調圧弁、１４はメンテナンス弁、１５は給水配管である。
【００２２】
ホース収納部２は、その前方に筐体３の内壁上面から内壁下面に至る２本の棒状体２ａ，２ｂによりその間にホース開口部２ｃが形成されているが、このホース開口部２ｃの平面内に横方向に臨む開放端６ａとホース収納部２の棒状体２ｂに固定された固定端６ｂとを有する棒状の掛り部材６が設けられており、この掛り部材６はホース４のホース収納部２への巻回方向の２次側、即ち本実施の形態においては図示の通り向かって左巻き（反時計回り）の巻回方向の２次側であるところの向かって右側に位置する棒状体２ｂに側縁部２ｅに固定端６ｂが固定され、掛り部材６は固定端６ｂよりホース開口部２ｃ側に水平方向に延伸してその開放端６ａをホース開口部２ｃの平面内に横方向に臨ませている。
【００２３】
掛り部材６が前記の如く設けられていることで、ホース４の外部への繰り出しの際、ホース４は左右に振れながら下方に脱落していくが、図２（ａ）に示す如く掛り部材６の上方より繰り出されるホース４は、図２（ｂ）に示す如く掛り部材６の上面に乗り掛り、その状態で横方向（掛り部材６の開放端６ａ方向）に移動して掛り部材６の開放端６ａより下方に脱落してから、即ち掛り部材６ａの上面への掛り状態を経てその状態が解除されてからホース収納部２より外部に繰り出されることとなり、図３（ａ）に示す如く掛り部材６の下方より繰り出されるホース４は、掛り部材６のホース開口部２ｃに臨む側が開放端６ａとなっているので、図３（ｂ）に示す如く掛り部材６には掛らずにホース収納部２より外部に繰り出されることなる。
【００２４】
掛り部材６によるホース４のばらけ現象の防止動作について述べれば、ホース収納部２の上方に位置して収納されているホース４がその自重によりばらけて繰り出されたとしても、降りてきた保形ホースが掛り部材に当たることによって、保形ホースが一旦止まりばらけが防止される。また、掛り部材６の上面への掛り状態にある時は掛り部材６の高さによりホース４のそれ以上の繰り出しが抑制される。一方ホース収納部２の下方に位置して収納されているホース４は一巻き分繰り出ると上方から降りてくるホースが掛り部材６の上面への掛り状態になり、それ以上ばらけて勝手に繰り出されることはない。
【００２５】
更に掛り部材６によるホース４のばらけ現象の防止動作について述べれば、ホース収納部２に内巻きされているホース４がホース開口部２ｃから繰り出される際に、斜め上方から下降してくるホース４の軌道上に位置する掛り部材６にホースが乗り掛かるためホース４がそこで山状（上に凸）になり、掛り部材６より外側に垂れるホース４の重みにより引き出される力と、掛り部材６の内側に垂れるホース４の重みと、掛り部材６やその他の部材による摩擦力などの合力とが均衡して、ホース４の連鎖的な繰り出しが抑えられ、ホース４のばらけ現象が抑制される。
【００２６】
掛り部材６は、更にホース４の折れ現象の防止機能も有する。即ち、ホース４が掛り部材の上面に掛っている状態にあるときは、図５（ａ）に示す如く、矢印Ａ３方向に繰り出されるホース４はその自重により収納状態から掛り部材６に向けて繰り出され易い状態にあり、又図５（ｂ）に示す如く、掛り部材６の固定端６ｂ側に向けてホース４が鋭角的に引かれる場合、即ち矢印Ａ４方向に引かれる場合でも、ホース６は巻回方向との関係でその周方向に曲げ半径Ｒを大きくする方向、即ちホース６の曲がりを緩やかにする方向に、内圧によりホース４が真っ直ぐになろうとする力の助力を得ながら、繰り出されることとなるので、ホース４を外すのに小さな力で済み、ホース４の折れ現象は生じ難く、更に、ホース４が掛り部材６から脱落しているときは、図４（ａ）に示す如く、ホース４は低い位置から繰り出されることとなり、この状態でホース４が矢印Ａ１方向に引かれる場合、ホース４の内圧力によりホース４の曲げ半径Ｒはある程度大きさを保つことができ、ホース４はホース開口部２ｃの角部を乗り越え易く、又図４（ｂ）に示す如く、ホース開口部２ｃの角部に向けてホース４が鋭角的に引かれる場合、即ち矢印Ａ２方向に引かれる場合でも、ホース４はこの巻回方向においてはその周方向にホース４の曲げ半径Ｒを大きくする方向、即ち曲がりを緩やかにする方向に、内圧によりホース４が真っ直ぐになろうとする力の助力を得ながら、繰り出されることとなるので、ホース４を外すのに小さな力で済み、ホース６の折れ現象は生じ難い。
【００２７】
即ち、ホース４が掛り部材６の上面に掛っている状態で掛り部材６の固定端６ｂ側に向けてホース４が鋭角的に引かれる場合、ホース４が掛り部材６から脱落している状態でホース開口部２ｃの角部に向けてホース４が鋭角的に引かれる場合、何れの場合においてもホース４の折れ現象が生じ難い。
【００２８】
更に、掛り部材６は、それを設けていても、ホース４の収納作業を容易に行うことができる。即ち掛り部材６のホース開口部２ｃに臨む側の端部を開放端６ａとしたことで、ホース４をホース開口部２ｃよりホース収納部２に収納する際に、開放端６ａ側の開口部分から収納することが可能であり、そのようにすれば、ホース４の収納の際に、掛り部材６が障害となることは少なく、収納作業を容易に行うことができる。
【００２９】
更に掛り部材６について述べる。
【００３０】
掛り部材６の設置高さｈ１は、ホース収納部２に収納されるホース４の最内層に位置するホース４により形成される内径底部４ｂ（内巻きに巻回されているホースの中央部形成穴の最低部位。以下同じ。）の高さｈ２と保形ホース４の最小曲げ半径（ホースを折らないで曲げられる最小の曲げ半径であり、ホースの中心線の曲げ半径ではなくホースの曲げ内縁半径。以下同じ。）との合計値よりも高いものとするのが好ましい。このようにすることで、ホース４が掛り部材６を乗り越えるのにエネルギーが必要で、且つホース４は掛り部材６の上に掛けられて抑止が効くので、連鎖的に繰り出されることが抑制されて、ホース４のばらけ現象を確実に防止することができる。
【００３１】
掛り部材６の長さは、例えば、ホースが１  １／４インチの呼び径のものに対して１２ｃｍ、或いはホース外径の３〜４倍程度の長さが採用されるが、ホース１本が掛けられる寸法（即ちホースの外形寸法）より長く、掛り部材６の開放端６ａとそれに対向する最近接のホース開口部２ｃの側縁部２ｄとの間を、少なくともホース１本が通過する間隔を開けた長さよりも短くするようにしてもよい。
【００３２】
図６はこの発明の他の実施の形態を示したものであり、同図に示した通り、掛り部材を段差付掛り部材１６としたものである。段差付掛り部材１６は、その開放端１６ａ側を下段１６ｃとし、固定端１６ｂ側を上段１６ｄとするものであり、更に下段１６ｃと上段１６ｄとの連絡部１６ｅを傾斜させてなるものである。この段差付掛り部材１６は、ホース４の巻き数が多い場合、ホース収納部２が大きい場合、或いはホース開口部が広い場合等に好適であり、段差付掛り部材１６とすることで、半分以上のホース４が収納部２に残っているとき、即ちホース繰り出し開始期においては段差付掛り部材１６の上段１６ｄを対応させ、半分以上のホース４が繰り出されたとき、即ちホース繰り出し後期においては段差付掛り部材１６の下段１６ｃを対応させることができ、ホース４のばらけの抑止が効くためには、その上段１６ｄの高さｈ３は、ホース収納部２に収納されるホース４の最内層に位置するホース４により形成される内径底部の高さｈ２と保形ホース４の最小曲げ半径との合計値よりも高くし、前記高さｈ２と保形ホース４の最小曲げ半径との合計値よりも低くするのがよい。また、その下段１６ｃの高さｈ４は、ホース収納部２に収納されるホース４の最外層に位置するホース４により形成される内径底部の高さｈ０と保形ホース４の最小曲げ半径との合計値よりも高くし、前記高さｈ０と保形ホース４の最小曲げ直径との合計値よりも低くするのがよい。このようにすると、ホース繰り出し開始期において掛り部材が低すぎるためにホース４がそれを乗り越えてばらけ始めるということがなく、又ホース繰り出し後期において掛り部材が高過ぎてホース４がその下をくぐってばらけ始めるということもない。尚、上段１６ｃと下段１６ｄとの連絡部１６ｅを傾斜させているが、このようにすることで上段１６ｄから下段１６ｃへのホース４の移動を円滑に行わせることができる。
【００３３】
図７はこの発明の他の実施の形態を示したものであり、同図に示した通り、掛り部材６に加えその下方に更に掛り補助部材２６を設けたものである。この掛り補助部材２６は、ホース開口部２ｃに全幅に亘り横方向に架け渡される如く設けられた横棒により構成されている。この掛り部材６と掛り補助部材２６の高さ位置については、その掛り部材６の高さｈ６は掛り補助部材２６より高くして、好ましくは、ホース収納部２に収納されるホース４の最内層に位置するホース４により形成される内径底部の高さｈ２と保形ホース４の最小曲げ半径との合計値よりも高くし、前記高さｈ２と保形ホース４の最小曲げ直径との合計値よりも低くするのがよい。また、掛り補助部材２６の高さｈ５は、ホース収納部２に収納されるホース４の最外層に位置するホース４により形成される内径底部の高さｈ０と保形ホース４の最小曲げ半径との合計値よりも高くし、前記高さｈ０と保形ホース４の最小曲げ直径との合計値よりも低くするのがよい。或いは、掛り補助部材２６の高さｈ５は、最内層に位置するホース４により形成される前記内径底部の高さｈ２よりも高い位置にするようにしてもよい。尚、掛り補助部材２６は、ホース開口部２ｃとの間に水平距離を形成する如く、ホース開口部２ｃよりも前方（操作者側）に位置している。この掛り補助部材２６は、ホース４の巻き数が多い場合、ホース収納部２が大きい場合、或いはホース開口部２ｃが広い場合等に好適であり、掛り補助部材２６を設けることで、掛り部材６と掛り補助部材２６によりホース４の掛り回数が２回に増え、その都度ホース４の繰り出しを停止させるので、掛り部材６と掛り補助部材２６によりホース４の繰り出される動きに抑止を効かせることができるので、より確実にホース４のばらけ現象を防止することができ、又、掛り補助部材２６とホース開口部２ｃとの間に水平距離を置いたことで、掛り補助部材２６にホース４が掛かることで外に繰り出されたホース４の重さにより掛り補助部材２６に掛かっている部分を支点としてホース収納部２側に位置しているホース４が持ち上がることとなるので、特にホース４が固定端６ｂ側の斜め下方に引かれる場合などで、ホース４が掛り部材６の下にくぐってしまうことなく、ホース４を掛り部材６に掛かり易くすることもできる。また、ホース４が掛り部材６の固定端６ｂとは反対方向に鋭角的に引かれた場合、つまり掛り部材６から脱落し掛り補助部材２６に掛った状態で鋭角的に引かれた場合、ホース開口部２ｃの側縁部２ｄと掛り補助部材２６とにより２度のホース４の掛りを介して引かれるので、ホース４が鋭角的に折れ曲げられることなく、ホース４の折れ現象が生じ難くすることができる。
【００３４】
又、掛り部材６と掛り補助部材２６との間にホース４が挟まった場合でも、抵抗なくホース４を引き出すことができる様に、掛り部材６と掛り補助部材２６との間の高低差は、ホース４の外径以上とするのがよい。
【００３５】
尚、掛り補助部材２６を前記の如く横棒により構成するのに代えて、筐体開口部３ｃの下枠３ｄを用いてもよい。
【００３６】
更に、前記掛り部材６及び掛り部材１６について述べれば、掛り部材６或いは掛り部材１６をヒンジにより水平方向、垂直方向又は斜め方向に傾倒可能としてもよい。掛り部材６を例に具体的に述べれば、図示は省略するが、掛り部材６の固定端６ｂをヒンジ構成し、掛り部材６の開放端６ａがホース開口部２ｃに臨む位置と臨まない位置とに変位可能になる如く、掛り部材６を水平方向、垂直方向又は斜め方向に傾倒可能としてもよい。このようにすることで、警戒時には掛り部材６の開放端６ａをホース開口部２ｃに臨む位置にして、ホース４に対する抑止機能が得られる状態にしておき、ホース４の収納作業時や装置１の保守点検時には掛り部材６を傾倒させてその開放端６ａがホース開口部２ｃに臨まない位置に変位させておくことで、掛り部材６が作業の障害とならないようにすることができる。更に、掛り部材６を装置１の前面方向へ傾倒可能とすれば、ホース４を収納後、掛り部材６をその開放端６ａがホース開口部２ｃに臨む位置に戻し忘れた状態では掛り部材６が障害となって消火栓扉の閉止ができない様にすることで、掛り部材６の復帰操作のし忘れを防止することができる。
【００３７】
更に、前記掛り部材６又は掛り部材１６の形状等について述べる。
【００３８】
・掛り部材６又は掛り部材１６は、棒状体２ｂに固定されていたが、ホース開口部２ｃに横方向に開放端６ａ、１６ａが臨むようにすれば、筐体開口部３ｃなど、消火栓装置１のどこに固定してもよい。
【００３９】
・掛り部材６又は掛り部材１６は、丸棒状に限定されるものではなく、板状でもよく、又その上縁部は直線状でも曲線状でもよい。
【００４０】
・掛り部材６又は掛り部材１６の、開口部２ｃとの接合部の根元は、ホース４の引き出し時引っ掛かり難くするため、この根元をラッパを伏せた形にしたとき、縦断面に現れる根元の丸みの半径をホース４の外形半径より大きな半径で形成してもよい。
【００４１】
・掛り部材６又は掛り部材１６の、開放端６ａ又は開放端１６ａの先端形状は、ホース４をホース収納部２に巻き入れる時に引っ掛かり難くするために半球状であってよい。
【００４２】
・掛り部材６又は掛り部材１６は、水平より少し上向き（仰角２０度以内）でもよい。
【００４３】
・掛り部材６又は掛り部材１６は、ホース開口部２ｃと同一面上又は平行面上に位置させてもよい。
【００４４】
・掛り部材６又は掛り部材１６は、ホース開口部２ｃの手前方向又は奥方向に傾斜させるようにしてもよい。
【００４５】
・掛り部材６又は掛り部材１６は、ホース４を引きずるとき重くならないために滑らかな表面により構成するのが好ましい。
【００４６】
・掛り部材６又は掛り部材１６は、剛性のある部材により構成しつつ、固定端を上下左右に弾性的に振れる様にしてもよいし、又、固定端で固定され上下左右に弾性的に振れる弾性体により構成する様にして、ホース４を引き出す際、ホース４が掛り部材６又は掛り部材１６に強く引っ掛かった時にだけ弾性的に振れ曲がり、引っ掛かりが外れるようにしてもよい。
【００４７】
・掛り部材６又は掛り部材１６は、着脱可能としてもよい。
【００４８】
【発明の効果】
この出願の第１の発明は、前記の如く構成したので、ホース収納部の上方に位置して収納されている保形ホースがその自重によりばらけて繰り出されたとしても、降りてきた保形ホースが掛り部材に当たることによって、保形ホースが一旦止まりばらけが防止される。また、掛り部材の上面への掛り状態にある時は掛り部材の高さによりそれ以上の繰り出しを抑制することができ、一方ホース収納部の下方に位置して収納されている保形ホースは一巻き分繰り出ると上方から降りてくるホースが掛り部材の上面への掛り状態になり、それ以上ばらけて繰り出されることはない。又、前記掛り部材の開口部に臨む側の端部を開放端としたことで、保形ホースを開口部よりホース収納部に収納する際に、開放端側の開口部分から収納することが可能であり、そのようにすれば、掛り部材が障害となることがはない。
【００４９】
したがって、この出願の第１の発明によれば、簡易な構成により、ホースのばらけ現象を防止することができ、またホースの収納作業を容易に行うことができる、内巻き式消火栓装置を得ることができる。
【００５０】
この出願の第２の発明は、前記の如く構成したので、前記第１発明と同様の効果を得つつ、ホースが掛り部材の上面に掛っている状態で掛り部材の固定端側に向けてホースが鋭角的に引かれる場合でも、ホースの折れ現象は生じ難い、という効果も得ることができる。
【００５１】
したがって、この出願の第２発明によれば、簡易な構成により、ホースのばらけ現象及び折れ現象を防止することができ、又ホースの収納作業を容易に行うことができる、内巻き式消火栓装置を得ることができる。
【図面の簡単な説明】
【図１】図１はこの発明の実施の形態を示し、内巻き式消火栓装置の正面図である。但し、筐体の前面板及び前面扉の図示は省略してある。
【図２】図２は、同上を示し、ホースの繰り出しの様子を示す概略図であり、（ａ）、（ｂ）共に、ホース収納部上方よりホースが繰り出されるときの様子を示している。
【図３】図３は、同上を示し、ホース繰り出しの様子を示す概略図であり、（ａ）、（ｂ）共に、ホース収納部下方よりホースが繰り出されるときの様子を示している。
【図４】図４は、同上を示し、ホースの繰り出しの様子を示す概略図であり、（ａ）、（ｂ）共に、ホース開口部角部に向けて鋭角的にホースを引き出すときの様子を示している。
【図５】図５は、同上を示し、ホースの繰り出しの様子を示す概略図であり、（ａ）、（ｂ）共に、掛り部材の固定端に向けて鋭角的にホースを引き出すときの様子を示している。
【図６】図６は、この発明の他の実施の形態を示し、その要部を示す概略図である。
【図７】図７は、この発明の更に他の実施の形態を示し、その要部を示す概略図である。
【符号の説明】
１      内巻き式消火栓装置
２      ホース収納部
２ａ    棒状体
２ｂ    棒状体
２ｃ    ホース開口部
２ｄ    側縁部
３      筐体
３ｃ    筐体開口部
４      消火用ホース
４ｂ    ホース内径底部
５      ノズル
６      掛り部材
６ａ    開放端
６ｂ    固定端
９      消火器容器
１０    給水管
１１    給水弁
１２    消火栓弁
１３    調圧弁
１４    メンテナンス弁
１５    給水配管
１６    段差付掛り部材
１６ａ  開放端
１６ｂ  固定端
１６ｃ  下段
１６ｄ  上段
１６ｅ  連絡部
２６    掛り補助部材
Ａ１    方向
Ａ２    方向
Ａ３    方向
Ａ４    方向
ｈ１    高さ（掛り部材）
ｈ２    高さ（内径底部）
ｈ３    高さ（段差付掛り部材の上段）
ｈ４    高さ（段差付掛り部材の下段）
ｈ５    高さ（掛り補助部材）
【図１】
2004229700.tif 000003
【図２】
2004229700.tif 000004
【図３】
2004229700.tif 000005
【図４】
2004229700.tif 000006
【図５】
2004229700.tif 000007
【図６】
2004229700.tif 000008
【図７】
2004229700.tif 000009